(57)【要約】【課題】既存の蛍光灯との互換性があり、しかも、輸送時、保管時等における収納効率を向上させることができる。【解決手段】円筒形状に構成された４つの複数の光源ユニット１０、２０、３０、４０が同軸状態で一列に配列された状態になった照明本体Ａの両側の端部に口金部９０がそれぞれ設けられており、各口金部９０が照明器具における相互に対向配置された一対のソケットのそれぞれに着脱可能になっている。各光源ユニット１０、２０、３０、４０は、それぞれ、支持体１１、２１、３１、４１の周面に光源部１２、２２、３２、４２が設けられており、隣接する支持体の一方が他方の支持体の内部に収容可能であって、両支持体が伸長方向にスライドされると、各支持体に支持された光源部同士が電気的に接続される。【選択図】図１
2011070825.tif 000002
【特許請求の範囲】
【請求項１】
発光素子をそれぞれ有する複数の光源ユニットが、各光源ユニットの発光素子が他の光源ユニットに塞がれないように一列に連結された第１状態と、少なくとも１つの光源ユニットの前記発光素子が他の光源ユニットによって塞がれた第２状態とに変更自在に構成され、
前記第１状態における一列の最外側端にそれぞれ位置する各光源ユニットの端部に、照明器具に装着可能になった口金がそれぞれ設けられ、
それぞれの口金は、各口金が設けられたそれぞれの光源ユニットの発光素子に電気的に接続されるとともに、前記第１状態で全ての光源ユニットの発光素子同士が電気的に接続された状態になっていることを特徴とする照明光源装置。
【請求項２】
前記各光源ユニットは、前記発光素子が取り付けられる円筒形状または半円筒形状の支持体を有し、
全ての光源ユニットの支持体がテレスコピックパイプ構成で伸縮可能になるように、前記第１状態において隣接する光源ユニットの支持体同士が同軸状態で相互に嵌合可能になっていることを特徴とする請求項１に記載の照明光源装置。
【請求項３】
前記嵌合状態になった一方の光源ユニットの支持体は、他方の光源ユニットの支持体から引き出される方向とは反対側の端部に抜け止め部が形成されており、他方の光源ユニットの支持体は、前記引き出し方向側の端部に前記抜け止め部に係合するストッパーが設けられていることを特徴とする請求項２に記載の照明光源装置。
【請求項４】
前記一方の光源ユニットの支持体が、前記他方の光源ユニットの支持体内に収容された状態で周方向に回動可能になっていることを特徴とする請求項２または３に記載の照明光源装置。
【請求項５】
前記一方の光源ユニットの支持体が、前記他方の光源ユニットの支持体内に収容された状態で周方向に回動されることにより、それぞれの支持体に設けられた前記光源部同士が相互に電気的に接続されることを特徴とする請求項４に記載の照明光源装置。
【請求項６】
前記他方の支持体には、当該他方の支持体内に収容された前記一方の支持体が周方向に回動された状態で当該一方の支持体の前記光源部から照射される光が通過する窓部が設けられていることを特徴とする請求項５に記載の照明光源装置。
【請求項７】
前記光源ユニットは、前記発光素子が設けられた支持基板を有することを特徴とする請求項１に記載の照明光源装置。
【請求項８】
前記発光素子が、配線基板上に実装されていることを特徴とする請求項１〜７のいずれか一項に記載の照明光源装置。
【請求項９】
前記発光素子が、パッケージ化されて基板に取り付けられていることを特徴とする請求項１〜７のいずれか一項に記載の照明光源装置。
【請求項１０】
前記発光素子がＥＬ素子であることを特徴とする請求項１〜７のいずれか一項に記載の照明光源装置。
【請求項１１】
それぞれの内部を光が伝搬する間に伝搬する光の一部が外部に照射される複数の導光体が、各導光体における外部に光が照射される部分が露出するように一列に連結された第１状態と、少なくとも１つの導光体における外部に光が照射される部分が他の導光体によって塞がれた第２状態とに変更自在に構成され、
前記第１状態における一列の最外側端にそれぞれ位置する各導光体の端部に、照明器具に装着可能になった口金がそれぞれ設けられ、
前記口金の一方に、当該口金に取り付けられた導光体の端面から当該導光体の内部に光が進入するように発光素子が配置され、当該発光素子は当該口金の一方が装着されるソケットから給電可能になっており、
前記第１状態で相互に隣接する導光体同士が、一方の導光体の内部を伝搬する光が他方の導光体の内部に進入して伝搬するように連結されていることを特徴とする照明光源装置。
【発明の詳細な説明】
【技術分野】
【０００１】
本発明は、ＬＥＤ（Light Emitting Diode）、ＥＬ素子（Electro Luminescence）などの発光素子を使用した照明光源装置に関する。
【背景技術】
【０００２】
半導体発光素子の一種である発光ダイオード（ＬＥＤ）は、放電、輻射等によって発光する白熱電球、蛍光灯等の光源と比べて、電気エネルギーを高効率で光に変換することができ、しかも、高光束化が可能であって小型であることから、表示用の光源に限らず、照明用の光源としても利用されている。現在、蛍光灯、白熱電球等が照明器具に装着されて使用されていることから、ＬＥＤを用いた照明光源装置も、蛍光灯、白熱電球等の代替として既存の照明器具に装着できることが望ましい。
【０００３】
特許文献１には、既存の蛍光灯器具に装着される直管形状の蛍光灯との互換性を有するように、複数のＬＥＤが搭載されたプリント基板を直管形状の照明本体内に配置して両端を口金にて封止した蛍光灯形照明光源装置が開示されている。
また、特許文献２には、リード線で接続された複数のＬＥＤ基板を、透明シリコンゴムにて構成された管状体内に収容することによって湾曲可能になったＬＥＤ蛍光灯が開示されている。
【先行技術文献】
【特許文献】
【０００４】
【特許文献１】特開２００８−２８２７９３号公報
【特許文献２】特開２００２−２８９００４号公報
【発明の概要】
【発明が解決しようとする課題】
【０００５】
特許文献１に開示された蛍光灯形照明光源装置では、所定の長さの蛍光灯が装着される照明器具にのみ装着できるように、所定の長さになった照明本体が使用されている。このように、照明本体が一定の長さに固定されているために、輸送、保管等を行う場合にも、使用時の状態と同様の状態になっており、大きな収容空間が必要になるという問題がある。
【０００６】
特許文献２に開示されたＬＥＤ蛍光灯は、管状体の両端部に設けられたリード線によって電力が供給される構成になっており、現在普及している蛍光灯との互換性がなく、従って、既存の蛍光灯の代替として使用できないという問題がある。また、このＬＥＤ蛍光灯は、湾曲可能になっているものの、それ自体の大きさは変化しないために、輸送時、保管時等における収容効率を改善することはできない。
【０００７】
本発明は、上記の問題に鑑みてなされたものであり、その目的は、輸送時、保管時等における収納効率を向上させることができる照明光源装置を提供することにある。
【課題を解決するための手段】
【０００８】
上記目的を達成するため、本発明に係る照明光源装置は、発光素子をそれぞれ有する複数の光源ユニットが、各光源ユニットの発光素子が他の光源ユニットに塞がれないように一列に連結された第１状態と、少なくとも１つの光源ユニットの前記発光素子が他の光源ユニットによって塞がれた第２状態とに変更自在に構成され、前記第１状態における一列の最外側端にそれぞれ位置する各光源ユニットの端部に、照明器具に装着可能になった口金がそれぞれ設けられ、それぞれの口金は、各口金が設けられたそれぞれの光源ユニットの発光素子に電気的に接続されるとともに、前記第１状態で全ての光源ユニットの発光素子同士が電気的に接続された状態になっていることを特徴とする。
【０００９】
また、本発明に係る照明光源装置は、それぞれの内部を光が伝搬する間に伝搬する光の一部が外部に照射される複数の導光体が、各導光体における外部に光が照射される部分が露出するように一列に連結された第１状態と、少なくとも１つの導光体における外部に光が照射される部分が他の導光体によって塞がれた第２状態とに変更自在に構成され、前記第１状態における一列の最外側端にそれぞれ位置する各導光体の端部に、照明器具に装着可能になった口金がそれぞれ設けられ、前記口金の一方に、当該口金に取り付けられた導光体の端面から当該導光体の内部に光が進入するように発光素子が配置され、当該発光素子は当該口金の一方が装着されるソケットから給電可能になっており、前記第１状態で相互に隣接する導光体同士が、一方の導光体の内部を伝搬する光が他方の導光体の内部に進入して伝搬するように連結されていることを特徴とする。
【発明の効果】
【００１０】
本発明の照明光源装置では、第１状態では、複数の光源ユニットが一列に連結されて全ての発光素子が他の光源ユニットに塞がれない状態とされるとともに、全ての発光素子が電気的に接続された状態になっているために、両側の口金を照明器具のソケットに装着することにより、従来の蛍光灯と同様に、全ての光源ユニットから光を照射させることができる。また、第２状態では、いずれかの光源ユニットの発光素子が他の光源ユニットによって塞がれた状態になるために、全体を短縮した状態にすることができる。従って、輸送、保管等に際しての収容空間を小さくすることができ、収納効率を向上させることができる。
【００１１】
また、複数の導光体を用いた照明光源装置では、複数の導光体が一列に連結されて全ての導光体における外部に光が照射される部分が露出されているために、両側の口金を照明器具のソケットに装着して発光素子に給電すると、従来の蛍光灯と同様に、全ての導光体から光を照射させることができる。また、第２状態では、いずれかの導光体における外部に光が照射される部分が他の導光体によって塞がれた状態になるために、全体を短縮した状態にすることができる。従って、輸送、保管等に際しての収容空間を小さくすることができ、収納効率を向上させることができる。
【図面の簡単な説明】
【００１２】
【図１】本発明の実施形態１に係る照明光源装置の一例を示しており、（ａ）は使用状態（伸長状態）の斜視図、（ｂ）は収縮状態の斜視図である。
【図２】（ａ）は、その照明光源装置における主要部の縦断面図、（ｂ）はその動作説明図である。
【図３】その照明光源装置における端部の正面図である。
【図４】本発明の実施形態１に係る照明光源装置の他の一例を示しており、（ａ）は主要部の縦断面図、（ｂ）はその動作説明図である。
【図５】（ａ）〜（ｃ）は、それぞれ本発明の実施形態１に係る照明光源装置の他の例における収縮状態の斜視図である。
【図６】本発明の実施形態２に係る照明光源装置の一例を示し、（ａ）は、照明光源装置の一方の端部の一部破断正面図、（ｂ）は、その主要部の構成を示す縦断面図である。
【図７】本発明の実施形態３に係る照明光源装置の一例を示す縦断面図である。
【図８】その照明光源装置における主要部の拡大図である。
【図９】本発明の実施形態４に係る照明光源装置の一例を示し、（ａ）はその斜視図、（ｂ）は、その動作説明のための斜視図である。
【発明を実施するための形態】
【００１３】
以下、本発明の実施形態に係る照明光源装置について説明する。
＜実施形態１＞
図１は、本発明の実施形態１に係る照明光源装置の一例を示しており、（ａ）は使用時における伸長した状態の斜視図、（ｂ）は収縮した状態の斜視図である。
この照明光源装置は、それぞれが円筒状に構成された第１光源ユニット１０、第２光源ユニット２０、第３光源ユニット３０、第４光源ユニット４０を有する照明本体Ａと、照明本体Ａの両側の端部にそれぞれ設けられた口金部９０とを有している。
【００１４】
第１〜第４の光源ユニット１０〜４０によって構成された照明本体Ａは、テレスコピックパイプ構成によって伸縮可能に構成されている。第１光源ユニット１０は、外径が最も大きく、第２光源ユニット２０が第１光源ユニット１０内に同軸状態で収容可能になっている。また、第３光源ユニット３０が第２光源ユニット２０内に同軸状態で収容可能になっており、第４光源ユニット４０が第３光源ユニット３０内に同軸状態で収容可能になっている。
【００１５】
従って、第４光源ユニット４０、第３光源ユニット３０、第２光源ユニット２０のそれぞれが、第３光源ユニット３０、第２光源ユニット２０、第１光源ユニット１０の内部にそれぞれ収容されると、図１（ｂ）に示すように、照明光源装置は、第１光源ユニット１０内に、第２光源ユニット２０、第３光源ユニット３０、第４光源ユニット４０の全てが収容された収縮状態になる。
【００１６】
このような収縮状態で、第１光源ユニット１０から第２光源ユニット２０が引き出され、第２光源ユニット２０から第３光源ユニット３０が引き出され、さらには、第３光源ユニット３０から第４光源ユニット４０が引き出されると、図１（ａ）に示すように、照明光源装置は、全ての光源ユニット１０〜４０が同軸状態で一直線に直列に配列された伸長状態になる。
【００１７】
伸長状態になった照明本体Ａの両側の端部に設けられた各口金部９０は、第１光源ユニット１０および第４光源ユニット４０におけるそれぞれの端部（照明光源装置の両側端となるそれぞれの端部）に取り付けられている。各口金部９０は、本発明の照明光源装置が既存の蛍光灯との互換性を有するように、既存の所定の蛍光灯器具に設けられた一対のソケットに装着することができるように構成されている。
【００１８】
図２（ａ）は、第１光源ユニット１０の縦断面図であり、第２光源ユニット２０の一部の縦断面とともに示している。また、図２（ｂ）は、第１光源ユニット１０から第２光源ユニット２０を引き出した状態の第１光源ユニット１０の先端部（第２光源ユニット２０の引き出し方向側の端部）の縦断面図である。さらに、図３は、収縮状態になった照明光源装置における第４光源ユニット４０の引き出し方向側の端部の側面図である。
【００１９】
収縮状態で最も外側に位置する第１光源ユニット１０は、例えば、厚さ０．５ｍｍ程度のアルミニウム板を、外径４０ｍｍ程度の円筒形状に成形された支持体１１と、この支持体１１の周面に支持された光源部１２とを有している。
支持体１１の周面には、軸方向に沿って延びる１本の溝部１１ａが設けられており、この溝部１１ａ内に光源部１２が収容されている。溝部１１ａは、支持体１１の周面を断面矩形状に窪ませることによって形成されている。溝部１１ａの内奥側の底面１１ｂは、支持体１１の直径方向に垂直な平坦面になっており、この底面１１ｂ上に光源部１２が取り付けられている。
【００２０】
支持体１１の溝部１１ａ内に設けられた光源部１２は、例えば、溝部１１ａの底面１１ｂとほぼ同じ大きさの長板状に形成された配線基板１２ａの表面に、複数のＬＥＤチップ１２ｂが溝部１１ａの長手方向に沿って実装されたＳＭＤ（表面実装部品）である。配線基板１２ａは、例えば、０．５ｍｍ程度の厚さのアルミニウム板によって構成されており、配線基板１２ａ上に、絶縁層を介して、金線による配線パターン形成されている。
【００２１】
配線基板１２ａ上に実装された各ＬＥＤチップ１２ｂは、それぞれ、表面が発光面であって裏面に２つの電極が設けられた半導体発光素子を備えており、裏面の各電極が配線基板１２ａの配線パターンに対してハンダによって接合されて、蛍光体皮膜によって封止されている。
蛍光体皮膜は、例えば、シリコーン樹脂などの透光性材料に、蛍光体粒子が分散されて構成されている。蛍光体皮膜中における蛍光体粒子の混入割合は、例えば、１０［ｗｔ％］程度である。
【００２２】
このような構成の光源部１２は、各ＬＥＤチップ１２ｂの発光面が溝部１１ａの外側に向けられた状態で、溝部１１ａの底面１１ｂ上に取り付けられている。従って、各ＬＥＤチップ１２ｂの発光面から発せられた光は、蛍光体皮膜を通過する間に所定の波長光とされて、支持体１１の放射方向に沿って溝部１１ａの外部にそれぞれ照射される。
第１光源ユニット１０に取り付けられた口金部９０は、円板状の口金本体部９１と、口金本体部９１から支持体１１とは反対側（外側）に突出する一対の端子ピン９２（図１（ａ）および（ｂ）参照）とを有している。口金本体部９１の内部には、必要に応じてＬＥＤチップ１２ｂの制御回路等が設けられる。
【００２３】
一対の端子ピン９２は、口金本体部９１の直径上において中心対称に配置されており、両端子ピン９２を結ぶ直線が、支持体１１に設けられた溝部１１ａの幅方向に平行になっている。各端子ピン９２のそれぞれは、リード線１４によって、光源部１２の配線基板１２ａに設けられた配線パターンに電気的に接続されている。各端子ピン９２は、既存の蛍光灯器具における一対のソケットの一方に装着されることによって、当該ソケットと、光源部１２の配線パターンとを電気的に接続する。
【００２４】
支持体１１における口金部９０が設けられた端面とは反対側の端面、すなわち、第２光源ユニット２０の引き出し側の端面には、引き出される第２光源ユニット２０を抜け止めするストッパー１１ｃが設けられている。ストッパー１１ｃは、支持体１１における当該端部において、支持体１１の周面から全周にわたって内側に向って突出しており、従って、支持体１１の周面に沿ったリング状に形成されている。
【００２５】
また、このストッパー１１ｃに近接した位置であって、溝部１１ａにおける底面１１ｂの裏面には、接触端子１６が設けられている。接触端子１６は、光源部１２の配線基板１２ａとはリード線１５によって電気的に接続されている。
第１光源ユニット１０内に収容可能になった第２光源ユニット２０は、第１光源ユニット１０の支持体１１よりも小径の円筒形状に構成された支持体２１を有している。この支持体２１の周面には、第１光源ユニット１０の支持体１１と同様に、軸方向に沿って延びる溝部２１ａが設けられており、この溝部２１ａ内に、第１光源ユニット１０に設けられた光源部１２と同様の構成の光源部２２が取り付けられている。
【００２６】
第２光源ユニット２０の支持体２１には、第１光源ユニット１０からの引き出し方向とは反対側の端部に、支持体２１よりも大径の円筒形状になった抜け止め部２７が、支持体２１と同軸状態で設けられており、抜け止め部２７の端面２７ａが支持体２１と一体となって連結されている。抜け止め部２７は、第１光源ユニット１０の支持体１１における内周面に摺動するように、支持体１１と同様の断面形状に構成されている。
【００２７】
第１光源ユニット１０における支持体１１の周面部には、内周側に開口したガイド溝１１ｈが軸方向に沿って形成されている。ガイド溝１１ｈは、外側に向って突出するように周面部を断面矩形状に窪ませることによって形成されている。
また、第２光源ユニット２０における抜け止め部２７には、そのガイド溝１１ｈ内にスライド可能に嵌合するように突出した突部２７ｂが設けられている。抜け止め部２７の突部２７ｂが支持体１１のガイド溝１１ｈ内に嵌合された状態では、第１光源ユニット１０および第２光源ユニット２０のそれぞれの光源部１２および２２が、周方向における同一位置に配置されるようになっている。
【００２８】
第２光源ユニット２０の支持体が第１光源ユニット１０の支持体１１から引き出されると、抜け止め部２７の突部２７ｂが支持体１１のガイド溝１１ｈ内をスライドする。これにより、第２光源ユニット２０の支持体２１は、周方向に回動することなく、第１光源ユニット１０の支持体１１と同軸状態を維持しつつ、支持体１１から引き出される。そして、第２光源ユニット２０の抜け止め部２７における端面２７ａが、第１光源ユニット１０の支持体１１に設けられたストッパー１１ｃに突き当てられることによって、第２光源ユニット２０は、第１光源ユニット１０の支持体１１から抜け止めされる。
【００２９】
また、この抜け止め部２７の外周面には、第２光源ユニット２０の支持体２１が第１光源ユニット１０の支持体１１から引き出されると、第１光源ユニット１０の支持体１１に設けられた接触端子１６に接触する接触端子２８が設けられている。この接触端子２８は、第２光源ユニット２０の光源部２２とリード線２９によって電気的に接続されており、それぞれの接触端子１６および接触端子２８が相互に接触することにより、第１光源ユニット１０の光源部１２と、第２光源ユニット２０の光源部２２とが電気的に接続される。
【００３０】
なお、第２光源ユニット２０の支持体２１における引き出し側の端部にも、第１光源ユニット１０に設けられたストッパー１１ｃと同様の構成のストッパー２１ｃが設けられており、また、第１光源ユニット１０に設けられた接触端子１６と同様の構成の接触端子２６が支持体２１の内周面側に設けられている。この接触端子２６は、光源部２２とリード線２５によって電気的に接続されている。
【００３１】
第３光源ユニット３０は、支持体３１が、第２光源ユニット２０の支持体２１内に収容されるように、当該支持体２１よりも小径の円筒形状に構成されて、軸心とは直交する方向のサイズが第２光源ユニット２０の同方向のサイズよりも小さくなっていること以外は、第２光源ユニット２０と同様の構成になっている。従って、図２において破線で示すように、支持体３１の端部に、端面３７ａを有する抜け止め部３７が設けられて、抜け止め部３７の外周面に接触端子３８が設けられている。
【００３２】
第４光源ユニット４０も、支持体４１が、第３光源ユニット３０の支持体３１内に収容されるように、当該支持体３１よりも小径の円筒形状に構成されて、軸心とは直交する方向のサイズが、第３光源ユニット３０の同方向のサイズよりも小さくなっており、また、支持体４１における引き出し側の端部にストッパーが設けられず、図３に示すように、口金部９０が取り付けられていること以外は、第３光源ユニット３０と概略同様の構成になっている。
【００３３】
図１および図３に示すように、第４光源ユニット４０に取り付けられた口金部９０は、第１光源ユニット１０に設けられた口金部９０と同様に、円板状の口金本体部９１と、口金本体部９１から支持体４１とは反対側（外側）に突出する一対の端子ピン９２とを有しているが、口金本体部９１の直径が、第１光源ユニット１０に設けられた口金本体部９１の直径よりも小さくなっており、各端子ピン９２と第４光源ユニット４０に設けられた光源部４２の配線基板４２ａとリード線（図示せず）によって電気的に接続されている。
【００３４】
このような構成の照明光源装置は、両側の口金部９０同士を相互に離間するように牽引すると、第１光源ユニット１０から第２光源ユニット２０が引き出され、第２光源ユニット２０から第３光源ユニット３０が引き出され、第３光源ユニット３０から第４光源ユニット４０が引き出されて、図１（ａ）に示すように、第１〜第４の全ての光源ユニット１０〜４０が一直線に直列状態に並んだ伸長状態になる。
【００３５】
このような状態では、図２（ｂ）に示すように、第１光源ユニット１０の接触端子１６および第２光源ユニット２０の接触端子２８が相互に接触することにより、第１光源ユニット１０の光源部１２と第２光源ユニット２０の光源部２２とが電気的に接続された状態になる。同様にして、第２光源ユニット２０の光源部２２と、第３光源ユニット３０の光源部３２とが電気的に接続された状態になるとともに、第３光源ユニット３０の光源部３２と、第４光源ユニット４０の光源部４２とが電気的に接続された状態になり、これにより、全ての光源部１２〜４２が電気的に接続される。
【００３６】
また、両側の口金部９０は、既存の蛍光灯器具における対向配置されたソケットにそれぞれ装着可能になる。従って、既存の蛍光灯器具のソケットに対して、両側の口金部９０を、全ての光源部１２〜４２の光の照射方向が所定の方向に向けた状態で各ソケットに装着することにより、全ての光源部１２〜４２に対して給電可能な状態になる。このような状態で、全ての光源部１２〜４２に給電されると、それぞれに設けられたＬＥＤチップ１２ｂ〜４２ｂが発光状態になり、従来の蛍光灯と同様に使用することができる。
【００３７】
これに対して、両側の口金部９０を蛍光灯器具のソケットから取り外して相互に接近させると、第４光源ユニット４０が第３光源ユニット３０内に収容され、第３光源ユニット３０が第２光源ユニット２０内に収容され、第２光源ユニット２０が第１光源ユニット１０内に収容されることにより、図１（ｂ）に示すように、第１光源ユニット１０内に第２〜第４の全ての光源ユニット２０〜４０が収容された短縮状態（収縮状態）になる。
【００３８】
このような収縮状態では、照明光源装置全体が小型化されるために、輸送、保管等に際しての照明光源装置の収納空間を小さくすることができ、収容効率を向上させることができる。また、収縮した小さな状態で持ち運びすることができるために、照明光源装置の取り扱いが容易になり、照明光源装置が他の物体等に当たって破損することを防止することができる。
【００３９】
なお、本実施形態では、第１光源ユニット１０を２倍の長さてとして、第２光源ユニット２０、第３光源ユニット３０、第４光源ユニット４０を２組設けて、第１光源ユニット１０の両側の内部に、第２光源ユニット２０、第３光源ユニット３０、第４光源ユニット４０のそれぞれが順番に収容される構成として、第１光源ユニット１０の両側の端部から、第４光源ユニット４０、第３光源ユニット３０、第２光源ユニット２０がそれぞれ順番に引き出されるようにしてもよい。
【００４０】
また、２組の第１光源ユニット１０〜第４光源ユニット４０を有する構成として、それぞれの第４光源ユニット４０の端部にソケットを設けずに、第４光源ユニット４０の端部同士を相互に連結した構成としてもよい。
なお、本実施形態では、第１光源ユニット１０の光源部１２と、第２光源ユニット２０の光源部２２とを、第２光源ユニット２０の抜け止め部２７の外周面に設けられた接触端子２８と、第１光源ユニット１０の支持体１１に設けられた接触端子１６とを相互に接触させることによって電気的に接続する構成であったが、このような構成に限定されるものではない。
【００４１】
例えば、図４（ａ）に示すように、第１光源ユニット１０の支持体１１に設けられたストッパー１１ｃと、第２光源ユニット２０の抜け止め部２７の端面２７ａとにおける相互に対向するそれぞれの部分に、第２光源ユニット２０が第１光源ユニット１０から引き出されることによって、図４（ｂ）に示すように、相互に係合状態になるコネクタ１９および２３を設ける構成としてもよい。この場合、コネクタ１９はリード線１５によって光源部１２と電気的に接続され、コネクタ２３はリード線２９によって光源部２２と電気的に接続される。
【００４２】
このような構成により、第２光源ユニット２０が第１光源ユニット１０から引き出されて、第２光源ユニット２０における抜け止め部２７の端面２７ａが、第１光源ユニット１０の支持体１１に設けられたストッパー１１ｃに近接した状態になると、コネクタ１９および２３同士が相互に係合して電気的に接続された状態になり、第１光源ユニット１０の光源部１２と、第２光源ユニット２０の光源部２２とが相互に電気的に接続される。
【００４３】
なお、第２光源ユニット２０の光源部２２と第３光源ユニット３０の光源部３２との電気的な接続、および、第３光源ユニット３０の光源部３２と第４光源ユニット４０の光源部４２との電気的な接続についても、それぞれ、同様に、コネクタ同士の接続によって行うように構成してもよい。
また、本実施形態では、第１光源ユニット１０の光源部１２としてＳＭＤ型のＬＥＤを使用したが、このような構成に限らず、例えば、図５（ａ）に示すように、ＬＥＤパッケージを基板に取り付けた１つのＬＥＤモジュール１２ｄによって光源部１２を構成してもよい。この場合には、ＬＥＤモジュール１２ｄは、支持体１１の溝部１１ａとほぼ同様の長さとして溝部１１ａ内に取り付けられる。あるいは、図５（ｂ）に示すように、複数のＬＥＤモジュール１２ｄを光源部１２としてもよい。第２〜第４の各光源ユニット２０〜４０のそれぞれの光源部２２〜４２についても同様の構成とすることができる。
【００４４】
さらには、図５（ｃ）に示すように、光源部１２としてＥＬ素子１２ｅを用いてもよい。この場合には、第１光源ユニット１０における支持体１１が、溝部が設けられていない円筒状に形成されて、その円筒状の支持体１１の外周面の全周にわたってＥＬ素子１２ｅが巻き付けられる。第２光源ユニット２０、第３光源ユニット３０、第４光源ユニット４０におけるそれぞれの支持体２１、３１、４１においても、同様に、光源部１２としてＥＬ素子を用いてもよい。なお、ＥＬ素子は、複数に分割した状態で、各支持体１１、２１、３１、４１に巻き付けるようにしてもよい。
【００４５】
また、第１光源ユニット１０、第２光源ユニット２０、第３光源ユニット３０、第４光源ユニット４０のそれぞれの支持体１１、２１、３１、４１を円筒形状としたが、このような構成に限らず、例えば、半円筒形状に構成して、それぞれに溝部１１ａ等を形成してもよい。この場合には、上記の実施形態と同様に図２に示される構成によって、相互に積み重ねられる半円筒形状の支持体同士が軸方向に沿ってスライド可能な構成とされる。さらには、それぞれの支持体を、半円筒形状ではなく平板形状として、それぞれがスライドして相互に重なり合うように構成してもよい。
【００４６】
各光源ユニット１０、２０、３０、４０に設けられる光源部１２、２２、３２、４２も、１列に限らず、各光源ユニットのそれぞれ毎に複数列の光源部を設けるようにしてもよい。この場合には、各列の光源部から照射される光の方向が平行になるように構成してもよい。
さらに、光源部に設けられるＬＥＤチップの個数、ＬＥＤチップから照射される光の色等も特に限定されるものではなく、目的とする照明光源装置の仕様、例えば、発光光束、配光特性等に合わせて適宜決定すれば良い。
【００４７】
また、本実施形態では、口金部９０における口金本体部９１内に制御回路等を設ける構成であったが、蛍光灯器具にＬＥＤチップ１２ｂの制御回路等が設けられる場合には、口金本体部９１に制御回路等を設ける必要はない。さらに、口金本体部９１内に赤外線受光部を設けて、リモートコントローラから照射される赤外線を受光することによって、それぞれの光源ユニットの光源部から照射される光量を調整するように構成してもよい。
【００４８】
＜実施形態２＞
図６（ａ）は、本発明の実施形態２に係る照明光源装置の引き出し方向側の端部の一部破断正面図、（ｂ）は、その主要部の構成を示す縦断面図である。この照明光源装置は、実施形態１に係る照明光源装置とほぼ同様の構成になっているが、第１光源ユニット１０、第２光源ユニット２０、第３光源ユニット３０の３つで構成されており、第３光源ユニット３０における引き出し側の端部に口金部９０が取り付けられている。口金部９０は、口金本体部９１が第３光源ユニット３０の支持体３１の直径に対応した直径を有しており、また、第３光源ユニット３０の支持体３１に対して同軸状態で回動し得るように構成されていること以外は、実施形態１の第４光源ユニット４０に設けられた口金部９０と同様の構成になっている。
【００４９】
また、第２光源ユニット２０は、第１光源ユニット１０内に収容された状態で、周方向に沿って所定の角度（２０°〜４０°程度）にわたって回動し得る構成になっている。第２光源ユニット２０を回動させるために、例えば、第１光源ユニット１０の支持体１１に設けられたガイド溝１１ｈにおける引き出し方向とは反対側の端部に、周方向に沿って延長する延長部が設けられている。
【００５０】
このような構成により、第２光源ユニット２０を第１光源ユニット１０内に収容した状態で、ガイド溝１１ｈの端部における延長部に沿って第２光源ユニット２０を回動操作することにより、第２光源ユニット２０は、ガイド溝１１ｈの延長部分に沿って、所定の角度にわたって回動される。
第１光源ユニット１０の支持体１１には、このように第２光源ユニット２０が回動された状態で、第２光源ユニット２０に設けられた光源部２２に対向する部分に第１窓部１１ｍが開口している。
【００５１】
さらに、図６（ｂ）に示すように、第１光源ユニット１０の支持体１１における口金部９０に近接した端部の内周面には、第２光源ユニット２０が支持体１１内に収容されて所定方向に回動された状態で、抜け止め部２７の外周面に設けられた接触端子２６に接触する端子部１６Ａが設けられている。この端子部１６Ａは、第１光源ユニット１０に設けられた光源部１２の配線パターン（口金部９０と電気的に接続された端部とは反対側の端部）と電気的に接続されている。
【００５２】
また、第３光源ユニット３０も、同様の構成によって、第２光源ユニット２０内に収容された状態で、第２光源ユニット２０の回動方向とは反対方向に、第２光源ユニット２０の回動角度の２倍にわたって回動し得るように構成されている。
第２光源ユニット２０の支持体２１には、このように第３光源ユニット３０が回動された状態で、第３光源ユニット３０に設けられた光源部３２に対向する部分に窓部２１ｍが開口している。また、第１光源ユニット１０の支持体１１にも、第２光源ユニット２０に設けられた窓部２１ｍに対向して第２窓部１１ｎが開口している。
【００５３】
さらに、図６（ｂ）に示すように、第３光源ユニット３０が第２光源ユニット２０の支持体２１内に収容されて所定方向に回動された状態で、第２光源ユニット２０の支持体２１における内周面と、第３光源ユニット３０の支持体３１の外周面とにおける相互に対向する部分に、相互に接触状態になる端子部２８Ａおよび３８Ａがそれぞれ設けられている。各端子部２８Ａおよび３８Ａは、第２光源ユニット２０に設けられた光源部２２の配線パターン、および、第３光源ユニット３０に設けられた光源部３２の配線パターンと、それぞれ電気的に接続されている。
【００５４】
このような構成の照明光源装置は、実施形態１に係る照明光源装置と同様に、伸長状態とすることによって、両側の口金部９０は、既存の蛍光灯照明器具における対向配置されたソケットにそれぞれ装着可能になる。従って、既存の蛍光灯照明器具のソケットに対して、両側の口金部９０を装着することにより、従来の蛍光灯と同様に使用することができる。
【００５５】
これに対して、照明光源装置の全体を収縮状態にして、第２光源ユニット２０を第１光源ユニット１０に対して所定の方向に回動操作するとともに、第３光源ユニット３０を第２光源ユニット２０に対して、第２光源ユニット２０の回動方向とは反対方向に2倍の角度にわたって回動させる。そして、第３光源ユニット３０に取り付けられた口金部９０の各端子ピン９２が、第１光源ユニット１０に取り付けられた口金部９０の各端子ピン９２と、それぞれ同一直線上に位置するように、口金部９０を支持体３１に対して回動させる。
【００５６】
このような状態になると、それぞれの口金部９０は、既存の蛍光灯器具（伸長状態で装着される蛍光灯器具とは異なり、ソケット間の距離が短い別種類の蛍光灯器具）のソケットに対してそれぞれ装着することが可能になる。また、第１光源ユニット１０の光源部１２と、第２光源ユニット２０の光源部２２と、第３光源ユニット２０の光源部３２とが、相互に接触した端子部２８Ａおよび３８Ａによって、それぞれ電気的に接続された状態になる。
【００５７】
従って、両側の口金部９０を既存の蛍光灯器具のソケットに装着して、第１光源ユニット１０の光源部１２と、第２光源ユニット２０の光源部２２と、第３光源ユニット２０の光源部３２とに給電すると、全ての光源部１２〜３２が点灯状態になる。
この場合、第１光源ユニット１０の光源部１２は、図６に矢印Ｘ１で示すように、第１光源ユニット１０の支持体１１に対して放射方向に光を照射する。また、第２光源ユニット２０の光源部２２は、図６に矢印Ｘ２で示すように、第１光源ユニット１０の光源部１２からの光の照射方向Ｘ１に対して、所定角度だけ傾斜した方向に光を照射する。そして、光源部２２から照射された光は、第１光源ユニット１０に設けられた第１窓部１１ｍを通って、第１光源ユニット１０の外部に照射される。
【００５８】
さらには、第３光源ユニット３０の光源部３２は、図６に矢印Ｘ３で示すように、第１光源ユニット１０の光源部１２からの光の照射方向Ｘ１に対して、第２光源ユニット２０の光源部２２から照射される光の方向Ｘ２とは、反対方向に所定の角度だけ傾斜した方向に光を照射する。そして、光源部２２から照射された光は、第２光源ユニット２０に設けられた窓部２１ｍ、第１光源ユニット１０に設けられた第２窓部１１ｎを通って、第１光源ユニット１０の外部に照射される。
【００５９】
このように、本実施形態の照明光源装置は、収縮した状態でも、既存の所定の蛍光灯器具に装着して使用することができる。しかも、この場合には、それぞれが第１光源ユニット１０の軸方向に沿って配置された第１光源ユニット１０の光源部１２、第２光源ユニット２０の光源部２２、第３光源ユニット３０の光源部３２から異なる方向に光が照射されるために、光が照射される領域を広くすることができる。
【００６０】
なお、本実施形態においても、光源部１２、２２、３２としてＳＭＤ型のＬＥＤを使用する構成に限らず、図５（ａ）に示すように、ＬＥＤパッケージを基板に取り付けた１つのＬＥＤモジュール１２ｄ、あるいは、図５（ｂ）に示すように、複数のＬＥＤモジュール１２ｄを光源部１２としてもよい。
なお、本実施形態においても、第１光源ユニット１０を２倍の長さてとして、第２光源ユニット２０および第３光源ユニット３０を２組設けて、第１光源ユニット１０の両側の内部に、第２光源ユニット２０および第３光源ユニット３０のそれぞれが順番に収容される構成として、第１光源ユニット１０の両側の端部から、第３光源ユニット３０および第２光源ユニット２０がそれぞれ順番に引き出されるようにしてもよい。
【００６１】
また、２組の第１光源ユニット１０〜第３光源ユニット３０を有する構成として、それぞれの第３光源ユニット３０の端部にソケットを設けずに、第３光源ユニット３０の端部同士を相互に連結した構成としてもよい。
＜実施形態３＞
図７は、本発明の実施形態３に係る照明光源装置の縦断面図である。この照明光源装置は、例えば、それぞれが円筒状に構成された第１導光体５０、第２導光体６０、第３導光体７０を有する照明本体Ａを備えており、第１〜第３の導光体５０〜７０は、テレスコピックパイプ構成によって伸縮可能に構成されている。第１導光体５０は、外径が最も大きく、第２導光体６０が第１導光体５０内に同軸状態で収容可能になっており、第３導光体７０が第２導光体６０内に同軸状態で収容可能になっている。
【００６２】
このような収縮状態で、第１導光体５０から第２導光体６０が引き出され、第２導光体６０から導光体７０が引き出されると、図７に示すように、照明光源装置は、全ての導光体５０〜７０が同軸状態で一直線に並んだ直列状態に配列されて伸長状態になる。
各導光体５０、６０、７０は、それぞれ、アクリル樹脂によって円筒状に形成された導光体本体部５１、６１、７１を有しており、導光体本体部５１、６１、７１のそれぞれの内周面には、光の一部を乱反射させる特殊加工が施されている。このような構成によって、各導光体本体部５１、６１、７１は、一方の端部から入射される光が、外周面および内周面での反射を繰り返して内部を導光する間に、内周面にて乱反射された光が外周面を通って外部に照射される。
【００６３】
最も直径の小さな第３導光体７０における導光体本体部７１の一方の端部（伸長状態で照明光源装置の一端を形成する端部）には、口金部９０が取り付けられている。この口金部９０は、既存の所定の蛍光灯器具に設けられた一対のソケットの一方に装着可能になっており、円板状の口金本体部９１と、口金本体部９１から第３導光体７０とは反対側（外側）に突出する一対の端子ピン９２とを有している。各端子ピン９２は、既存の蛍光灯器具における一対のソケットの一方に装着されると、当該ソケットに対して電気的に接続された状態になる。
【００６４】
口金本体部９１には、導光体本体部７１の端部が埋設されており、口金本体部９１の内部には、埋設された導光体本体部７１の端面に対向して、光源部を構成する複数のＬＥＤチップ７３が、周方向に等間隔で配置されている。各ＬＥＤチップ７３は、例えば円板形状の配線基板上に実装されており、それぞれから照射される光が、導光体本体部７１の端面から内部に入射するように構成されている。また、口金本体部９１の内部には、端子ピン９２から供給される電力によって各ＬＥＤチップ７３が点灯状態になるように制御する制御回路（図示せず）が設けられている。
【００６５】
導光体本体部７１における口金部９０が取り付けられた端部とは反対側の端部には、伸長状態で第２導光体６０における導光体本体部６１の端部と連結状態になる連結部７２がアクリル樹脂によって導光体本体部７１と一体に形成されている。この連結部７２は、導光体本体部７１と同軸状態であって導光体本体部７１の外径よりも大きな外径の円筒状に構成されている。導光体本体部７１の内周面と、連結部７２の内周面とは、それぞれに対して垂直な段差面によって連結されている。連結部７２の内周面は、導光体本体部７１から離れるにつれて順次内径が大きくなったテーパー形状になっている。
【００６６】
第３導光体７０に連結される第２導光体６０は、第３導光体７０内に収容可能に構成された円筒状の導光体本体部６１と、導光体本体部６１における第１導光体５０側の端部に設けられた第１連結部６２と、導光体本体部６１における第３導光体７０側の端部に設けられた第２連結部６３と、を有している。第１連結部６２は、第３導光体７０の連結部７２と同様の構成になっている（但し、直径が異なっている）。
【００６７】
第２連結部６３は、導光体本体部６１とは、同軸状態の円筒状に一体に構成されているが、外周面が、導光体本体部６１から離れるにつれて順次小さくなったテーパー形状になっている。第２連結部６３の内周面は、導光体本体部６１の内径よりも大きな一定の内径になっている。導光体本体部６１の内周面と、第２連結部６３の内周面とは、それぞれに対して垂直な段差面によって連結されている。
【００６８】
第２導光体６０に連結される第１導光体５０は、第２導光体６０が収容可能に構成された円筒状の導光体本体部５１と、導光体本体部５１における第２導光体６０側の端部に設けられた連結部５２と、を有している。連結部５２は、第２導光体６０の第２連結部６３と同様の構成になっている（但し、直径が異なっている）。
導光体本体部５１における連結部５２が設けられた端部とは反対側の端部には、口金部９０が設けられている。この口金部９０は、導光体本体部５１の端部が埋設される口金本体部９１と、口金本体部９１から第１導光体５０とは反対側（外側）に突出する一対の端子ピン９２とを有しているが、各端子ピン９２は、それぞれ絶縁体によって構成されており、既存の蛍光灯器具における一対のソケットの一方に対して装着可能になっている。
【００６９】
図８は、第３導光体７０の連結部７２と、第２導光体６０の第２連結部６３とのそれぞれの形状を説明するための拡大断面図であり、第３導光体７０が第２導光体６０から引き出された状態で示している。第３導光体７０に設けられた口金部９０内に設けられた複数のＬＥＤチップ７３から照射された光は、導光体本体部７１の端面から導光体本体部７１内に入射し、導光体本体部７１の内周面と外周面とでの反射を繰り返すことによって、順次、導光体本体部７１の内部を伝搬する。そして、導光体本体部７１の内周面によって光の一部が乱反射することにより、乱反射された光が導光体本体部７１の外周面から外部に照射される。
【００７０】
第２導光体６０から引き出された第３導光体７０の連結部７２は、第２導光体６０の第２連結部６３に係合された状態になり、第３導光体７０は第２導光体６０から抜け止めされた状態になる。このような状態では、第３導光体７０の導光体本体部７１における連結部７２に隣接した部分の外周面と、第２導光体６０の導光体本体部６１における第２連結部６３に隣接した部分の内周面とが、相互に密着した状態になり、第３導光体７０の導光体本体部７１内を伝搬する光は、その密着した両面を直進して、第２導光体６０の第２連結部６３内に進入する。
【００７１】
第２連結部６３は、第２導光体６０の第２連結部６３内に直進状態で進入した光が、第２連結部６３のテーパー形状になった外周面によって全反射するように、外周面のテーパー形状（外周面の軸心に対する傾斜角度）が設定されている。第２連結部６３のテーパー形状になった外周面によって全反射した光は、第２導光体６０の導光体本体部６１内に進入し、導光体本体部７１の内周面と外周面とでの反射を繰り返すことによって、導光体本体部７１の内部を伝搬する。
【００７２】
第１導光体５０から引き出された第２導光体６０の第１連結部６２は、第１導光体５０の連結部５２に係合されており、これにより、第２導光体６０は第１導光体５０から抜け止めされている。第２導光体６０の導光体本体部６１を伝搬する光は、第３導光体５０および第２導光体６０との連結部分での光の伝搬と同様にして、第１導光体５０の導光体本体部５１内に進入し、導光体本体部５１の内部を伝搬する。
【００７３】
本実施形態の照明光源装置も、両側の口金部９０が相互に離間するように牽引すると、第１導光体５０から第２導光体６０が引き出され、第２導光体６０から第３導光体７０が引き出されて、第１〜第３の全ての導光体５０〜７０が、一直線に並んだ直列状態に配列されて伸長状態になる。
このような状態では、両側の口金部９０は、既存の蛍光灯器具における対向配置されたソケットにそれぞれ装着可能になる。従って、既存の蛍光灯器具のソケットに対して、両側の口金部９０を各ソケットに装着すると、第３導光体７０に設けられた口金部９０に対して給電状態になり、当該口金部９０の口金本体部９１内に設けられた全てのＬＥＤチップ７３が点灯状態になる。
【００７４】
口金部９０の口金本体部９１内に設けられた全てのＬＥＤチップ７３が点灯状態になると、ＬＥＤチップ７３から発せられた光は、第３導光体７０から第２導光体６０を通って第１導光体５０に伝搬し、その伝搬の間に、第３導光体７０、第２導光体６０、第１導光体５０のそれぞれからは、全周にわたって、伝搬される光の一部が外部に照射される。これにより、本実施形態の照明光源装置は、従来の直管形状の蛍光灯と同様の光の照射状態になる。
【００７５】
これに対して、両側の口金部９０を蛍光灯照明器具のソケットから取り外して相互に接近させると、第３導光体７０が第２導光体６０内に収容され、第２導光体６０が第１導光体５０内に収容されることにより、第１導光体５０内に第２および第３の導光体６０および７０が収容された収縮状態になる。このような収縮状態では、輸送、保管等に際しての照明光源装置の収納空間を小さくすることができ、収容効率を向上させることができる。また、持ち運びに際して破損することを防止することができる。
【００７６】
＜実施形態４＞
図９は、本発明の実施形態４に係る照明光源装置の斜視図である。この照明光源装置は、例えば、長方形状の平板状になった一対の光源ユニット８０を有する照明本体Ａと、照明本体Ａの両側にそれぞれ設けられた口金部９０とを有している。
各光源ユニット８０は、支持基板８１を備えており、それぞれの支持基板８１に光源部８２が設けられている。各支持基板８１は、長手方向に沿って直列状態で一直線に並んで同一平面上に配列されると、それぞれ同じ方向に向かった表面に、長手方向に沿って延びる溝部８１ａがそれぞれ形成されている。この溝部８１ａ内に光源部８２がそれぞれ設けられている。それぞれの光源部８２同士は、例えばリード線（図示せず）によって電気的に接続された状態になっている。
【００７７】
両支持基板８１は、長手方向に沿った一方の側面同士が、一対のリンク部材を有するリンク機構８４によってそれぞれ連結されている。リンク機構８４は、図９（ｂ）に示すように、光源部８２が設けられたそれぞれの表面同士が相互に対向して突き合わされて両支持基板８１同士が重なり合うように、両支持基板８１同士を回動可能に連結している。
相互に隣接するように配置された両支持基板８１における両外側に位置するそれぞれの側面には、口金部９０がそれぞれ設けられている。各口金部９０は、前記実施形態１における口金と同様に、既存の蛍光灯器具に設けられた一対のソケットに装着可能になっており、それぞれの口金部９０がソケットに装着されることにより、各ソケットと口金部９０とが電気的に接続された状態になる。従って、本実施形態の照明光源装置も、従来の蛍光灯の代替として使用することができる。
【００７８】
また、各口金部９０を蛍光灯器具のソケットから取り外して、図９（ｂ）に示すように、折り畳んだ状態にすることにより、コンパクトな構成になり、しかも、光源部８２が外部に露出しないために、光源部８２が破損することを確実に防止することができる。
なお、本実施形態においては、同様の構成の３つ以上の光源ユニット８０によって照明本体Ａを構成してもよい。この場合には、隣接する支持基板８１同士を、一対のリンク機構８４によって各支持基板８１同士が重なり合うように連結される。この場合にも、各支持基板８１にそれぞれ設けられた光源部８２が一直線になるように、各支持基板８１を直線状に配列した場合に、両側の端部に口金部９０がそれぞれ設けられる。
【００７９】
なお、本実施形態においても、光源部８２として、ＳＭＤ型のＬＥＤ、ＬＥＤパッケージを基板に取り付けた１つのＬＥＤモジュール、あるいは複数のＬＥＤモジュールを使用することができる。また、支持基板８１に溝部８２を設けることなく、支持基板８１の表面の全面にＥＬ素子を設けて光源部８２としてもよい。
【産業上の利用可能性】
【００８０】
本発明は、ＬＥＤ（Light Emitting Diode）、有機ＥＬ（Electro Luminescence）などの発光素子を光源として使用する照明光源装置において、収納効率を向上させることができる。
【符号の説明】
【００８１】
Ａ          照明本体
１０        第１光源ユニット
１１        支持体
１１ａ      溝部
１２        光源部
１２ａ      配線基板
１２ｂ      ＬＥＤチップ
２０        第２光源ユニット
２１        支持体
２１ａ      溝部
２２        光源部
３０        第３光源ユニット
３１        支持体
３１ａ      溝部
３２        光源部
４０        第４光源ユニット
４１        支持体
４１ａ      溝部
４２        光源部
５０        第１導光体
５１        導光体本体部
５２        連結部
６０        第２導光体
６１        導光体本体部
６２        第１連結部
６３        第２連結部
７０        第３導光体
７１        導光体本体部
７２        連結部
７３        ＬＥＤチップ
８０        光源ユニット
８１        支持基板
８２        光源部
８４        リンク機構
９０        口金部
９１        口金本体部
９２        端子ピン
【図１】
2011070825.tif 000003
【図２】
2011070825.tif 000004
【図３】
2011070825.tif 000005
【図４】
2011070825.tif 000006
【図５】
2011070825.tif 000007
【図６】
2011070825.tif 000008
【図７】
2011070825.tif 000009
【図８】
2011070825.tif 000010
【図９】
2011070825.tif 000011